(57)【要約】【課題】  印刷プレビューにおいて物理プレビューを実現し正確なプレビューにより印刷の失敗を防ぐ。【解決手段】  ロール紙幅を取得する手段、プリンタドライバの設定を取得する手段により得られた情報に基づき印刷プレビューを行う。印刷プレビューには排紙方向、物理用紙幅を表示する。印刷プレビューのスクロール手段を提供する。【選択図】  図１
2009116735.tif 000002
【特許請求の範囲】
【請求項１】
プリンタへの印刷のプレビューを行う情報処理装置であり、
前記プリンタに設定されている情報を取得するプリンタ情報取得手段と、
印刷設定を取得する印刷設定取得手段と、
を具備し、
前記プリンタ情報取得手段と印刷設定取得手段により取得した情報に基づき、複数ページドキュメントの物理プレビューを行うことを特徴とした情報処理装置。
【請求項２】
請求項１に記載の情報処理装置において、前記印刷設定取得手段により取得した情報はロール紙印刷におけるロール紙カット設定であり、前記取得したロール紙カット設定に基づき１論理ページ単独で、または複数の論理ページを連続して配置した
物理プレビューを行うことを特徴とする情報処理装置。
【請求項３】
請求項２に記載の情報処理装置において、
プレビュー領域スクロール手段を具備し、
複数ページドキュメントの物理プレビューが表示範囲内に収まらない場合に、前記プレビュー領域スクロール手段により全ページのプレビューを表示可能である
ことを特徴とする情報処理装置。
【請求項４】
請求項１〜請求項３のいずれかに記載の情報処理装置において、前記プリンタ情報取得手段はプリンタから取得し、前記印刷設定取得手段はプリンタドライバから取得することを特徴とする情報処理装置。
【請求項５】
請求項１〜請求項４のいずれかに記載の情報処理装置において、前記印刷プレビューが前記プリンタ情報取得手段により、取得された情報に基づき、物理用紙の計算を行い、印刷設定取得手段に基づき、出力ページサイズ、配置、回転状態、ロール紙カット状態の計算を行うことを特徴とした情報処理装置。
【請求項６】
請求項１〜請求項５のいずれかに記載の情報処理装置において、前記プリンタ情報取得手段により得られる情報が、プリンタに設定されている、もしくは装着されている紙の用紙幅を含むことを特徴とした情報処理装置。
【請求項７】
プリンタへの印刷のプレビューを行う情報処理方法であり、
前記プリンタに設定されている情報を取得するプリンタ情報取得ステップと、
印刷設定を取得する印刷設定取得ステップと、
を具備し、
前記プリンタ情報取得ステップと印刷設定取得ステップにより取得した情報に基づき、複数ページドキュメントの物理プレビューを行うことを特徴とした情報処理方法。
【請求項８】
請求項７に記載の情報処理方法において、前記印刷設定取得ステップにより取得した情報はロール紙印刷におけるロール紙カット設定であり、前記取得したロール紙カット設定に基づき１論理ページ単独で、または複数の論理ページを連続して配置した
物理プレビューを行うことを特徴とする情報処理方法。
【請求項９】
請求項８に記載の情報処理方法において、
プレビュー領域スクロールステップを具備し、
複数ページドキュメントの物理プレビューが表示範囲内に収まらない場合に、前記プレビュー領域スクロールステップにより全ページのプレビューを表示可能である
ことを特徴とする情報処理方法。
【請求項１０】
請求項７〜請求項９のいずれかに記載の情報処理方法において、前記プリンタ情報取得ステップはプリンタから取得し、前記印刷設定取得ステップはプリンタドライバから取得することを特徴とする情報処理方法。
【請求項１１】
請求項７〜請求項１０のいずれかに記載の情報処理方法において、前記印刷プレビューが前記プリンタ情報取得ステップにより、取得された情報に基づき、物理用紙の計算を行い、印刷設定取得ステップに基づき、出力ページサイズ、配置、回転状態、ロール紙カット状態の計算を行うことを特徴とした情報処理方法。
【請求項１２】
請求項７〜請求項１１のいずれかに記載の情報処理方法において、前記プリンタ情報取得ステップにより得られる情報が、プリンタに設定されている、もしくは装着されている紙の用紙幅を含むことを特徴とした情報処理方法。
【発明の詳細な説明】
【技術分野】
【０００１】
本発明は印刷データを生成する情報処理装置および情報処理方法、記録媒体に関するもので、特に印刷プレビューに関するものである。
【背景技術】
【０００２】
コンピュータで動作するアプリケーションソフトウエアでドキュメントを作成しプリンタで印刷する際に、オペレーティングシステムとプリンタドライバによりアプリケーションは、プリンタの種類によらず共通の作法でプリントができるようになっている。
【０００３】
このときプリンタ機種に特徴的な処理はプリンタドライバの中に隠蔽されている。
【０００４】
印刷を行う上で、印刷の失敗を防ぐために、プレビューの機能は重要である。特に大判プリンタでは、大きな用紙に印刷を行うなため、用紙、インク、時間など失敗時のコストが高いために、正確なプレビューによる失敗防止は非常に効果的である。
【０００５】
印刷プレビューの機能は一般にアプリケーションの機能であり、アプリケーションが設定している論理ページへの描画によるプレビューを行っている。
【０００６】
プリンタドライバでは実画像を使ったプレビューではなく記号やイラストによる、印刷の向きやレイアウト確認のプレビューが行われているが、実画像を使ったプレビューも提案されている。（例えば、特許文献１参照。）
また、プリンタドライバの高機能化により、様々な処理が行えるようになってきている。例えば複数ページを１ページにまとめるＮｉｎ１や、センタリング、左右反転などである。
【０００７】
これらは、アプリケーションからデータを渡されたあとに、ドライバ内部で実施している機能であり、アプリケーションのプレビューには反映していない。そのためプリンタドライバの設定によっては実際に印刷された結果とアプリケーションのプレビューは正確には一致しない場合がある。
【０００８】
このためプリンタドライバの制御下で専用の印刷プレビュー機能をもち、プリンタドライバの設定を反映させたプレビューを実現したものがある。（例えば、特許文献２参照。）
また、大判プリンタにおいてはバナー印刷等を実現するために、プリンタ用紙はロール紙で装填されるのが一般的である。
【０００９】
このようなプリンタでは通常ドキュメントの1ページを印字した後、プリンタに内蔵されたカッター等を用いて用紙をカットする。
【００１０】
上記の印字後の用紙カットはプリンタドライバにより、自動的に行うかあるいは手動で実行するかを設定可能な場合があり、後者の場合は複数ページのドキュメントは各ページが用紙上で物理的につながった状態で出力される。
【特許文献１】特開平１０−４００４５号公報
【特許文献２】特開２００２−６３０００号公報
【発明の開示】
【発明が解決しようとする課題】
【００１１】
従来のアプリケーションのプレビューではプレビュー機能は論理ページプレビューであり、実際の用紙、特にロール紙へのレイアウトや向きなどが正確にはわからないという問題があった。
【００１２】
またプリンタドライバ側でのプレビューでは、プレビューデータの生成に時間がかかり、特に、簡単なベクターデータや文字データではなく、複雑なベクターデータや大きな写真データなどを含む場合は、プレビューデータが生成するまでに時間がかかり操作性を損ねることになっていた。
【００１３】
またロール紙のカット設定を反映したプレビューが無かったため、設定ミス等による作業のやり直しが発生し、時間と消耗品の浪費を招くという問題があった。
【課題を解決するための手段】
【００１４】
上記課題を解決し、物理的な印刷結果を容易に確認できる印刷プレビューを達成する本発明は以下の構成を備えることを特徴とする。
【００１５】
即ち、プリンタに設定されている情報を取得するプリンタ情報取得手段と、印刷設定を取得する印刷設定取得手段とに基づき、物理プレビューを行う。
【００１６】
また、前記プリンタ情報取得手段はプリンタから取得し、前記印刷設定取得手段はプリンタドライバから取得する。
【００１７】
また、前記、印刷プレビューが前記、プリンタ情報取得手段により、取得された情報に基づき、物理用紙の計算を行い、印刷設定取得手段に基づき、出力ページサイズ、配置、回転状態の計算を行う。
【００１８】
また、前記プリンタ情報取得手段により得られる情報が、プリンタに設定されている、もしくは装着されている紙の用紙幅を含む。
【００１９】
また、前記プリンタ情報取得手段により得られる情報が、プリンタに設定されている、もしくは装着されている紙の給紙方法を含む。
【発明の効果】
【００２０】
ロール紙幅情報をプリンタから取得する手段を設けることで、実際にセットされているロール幅を反映した正確なプレビューが表示できる。
【００２１】
プリンタドライバの設定情報をアプリケーションが取得する手段を設けることでプリンタドライバ内部での様々な設定を正確に反映したプレビューを表示することができる。
【００２２】
アプリケーション側で印刷ダイアログ表示時に高速にプレビューを表示することで、印刷の設定ミスによる失敗を防ぐことができる。
【００２３】
ロールプリンタに特徴的なロール紙カット設定に従ってプレビューを表示する事で、印刷後にオートカットが作動するかを一目で確認する事ができ、また複数ページが連続して印字される場合にスクロール機能により全てのページのプレビューも確認できる。
【００２４】
これらの正確な印刷プレビューによって、印刷設定のミスなどに起因する失敗印刷を未然に防止できるため、作業時間の短縮、プリンタ消耗品の浪費の抑制といった効果がある。
【発明を実施するための最良の形態】
【００２５】
次に、本発明の詳細を実施例の記述に従って説明する。
【実施例１】
【００２６】
以下、本発明の好適な実施例を画像印刷アプリケーションソフトウェアの一機能として説明する。
【００２７】
図４に本実施例におけるシステム構成図を示す。
【００２８】
図４において、
４０１は、プリンタ、
４０２は、ホストコンピュータ、
４０３は、ローカルエリアネットワーク(LAN)、
である。
【００２９】
ラージフォーマットプリンタに代表される出力先プリンタ４０１と、パーソナルコンピュータ(PC)に代表されるホストコンピュータ４０２はパラレル接続、USB接続等の一般的な通信インタフェースにより直接接続されている(非図示)か、もしくはローカルエリアネットワーク(LAN)４０３接続等を介して間接的に接続されている。
【００３０】
ホストコンピュータ４０２は、中央演算装置(CPU)、一次記憶装置、二次記憶装置、内部バス、入出力制御装置、入力装置、出力装置等の、非図示の一般的なコンピュータ構成要素により構成される。
【００３１】
ホストコンピュータ４０２内の前記二次記憶装置上にはオペレーティングシステム(OS)がインストールされており、さらにプリンタ４０１を制御するソフトウェアであるプリンタドライバおよび画像印刷アプリケーションソフトウェアがインストールされているものである。
【００３２】
プリンタ４０１は、ロール給紙ユニットを備え、前記プリンタドライバが許容する範囲内で任意の長さの原稿の印刷を行うことができるものである。また、カット紙用の給紙口を備えることにより、ロール紙のみならずカット紙に印刷を行うことも可能である。
【００３３】
非図示のオペレータはホストコンピュータ４０２上の記憶装置上に保存されている画像印刷アプリケーションを起動し、デジタルカメラ等により撮影された所望の画像を入力し、プリンタ４０１により出力するものである。
【００３４】
本実施例において、前記画像印刷アプリケーションは、プリンタ４０１本体、およびプリンタドライバと情報を伝達することにより物理プレビューを実現するものである。
【００３５】
図５は画像印刷アプリケーションと、プリンタ本体の関連を示すシステム構成図である。
【００３６】
図５において、
５０１は、画像印刷アプリケーション、
５０２は、インターフェイスモジュール、
５０３は、ロール幅センサ、
５０４は、メモリ、
５０５は、インタフェース制御装置、
である。
【００３７】
なお、図４と同一の要素には同じ符号を付している。
【００３８】
プリンタ４０１内には、装填されているロール紙の幅方向の長さ情報を取得するロール幅センサ５０３を備え、センサ５０３により取得したロール幅長さを内部メモリ５０４に格納する。
【００３９】
ホストコンピュータ４０２上にアプリケーションと共にインストールされるインタフェースモジュール５０２をアプリケーションが利用することにより、プリンタ内メモリ５０４に格納されたロール幅長さをインタフェース制御装置５０５を介して取得することができるものである。
【００４０】
図６は画像印刷アプリケーションと、プリンタドライバの関連を示すシステム構成図である。
【００４１】
図６において、
６０１は、プリンタドライバソフトウェア開発キット(SDK)モジュール、
６０２は、プリンタドライバ、
である。
【００４２】
プリンタドライバ６０２の各種設定のうち、ベンダー非依存の標準の設定項目はアプリケーション５０１側からプリンタドライバ６０２に直接アクセスすることで取得、および設定が可能である。
【００４３】
また、プリンタドライバ６０２のベンダー固有の設定値はアプリケーションと共にインストールされているプリンタドライバソフトウェア開発キット(SDK)モジュール６０１を介して取得、および設定することができるものである。
【００４４】
ではオペレータの操作手順に従って、前記画像印刷アプリケーションを利用した、画像の印刷手順を説明する。
【００４５】
初めにオペレータは、ホストコンピュータ４０２上の記憶装置に格納されている画像印刷アプリケーションを、非図示のマウス等に代表される入力装置を用いて起動する。
【００４６】
アプリケーションはその起動処理において、アプリケーションが利用するプロセスメモリ空間内にインタフェースモジュール５０２およびプリンタドライバSDKモジュール６０１をロードする。
【００４７】
起動されたアプリケーションのメイン画面の例を図３に示す。
【００４８】
図３において、
３０１は、メニューバー、
３０２は、ページサイズコンボボックス、
３０３は、ページ方向ラジオボタン、
３０４は、画像プール、
３０５は、編集ペイン、
３０６は、入力画像サムネール、
３０７は、ページ表示領域、
である。
【００４９】
オペレータは予めデジタルカメラ等の撮影機器により撮影された画像ファイルをコンパクトフラッシュ（登録商標）カードに代表される記憶媒体を介して、あるいはUSB接続等によるデジタルカメラとの直接、またはその他の間接的な接続により画像の入力を行う。
【００５０】
入力された画像はメイン画面左側の画像プール３０４にサムネール群３０６として表示される。
【００５１】
オペレータは任意のタイミングでページサイズを画面左上のページサイズコンボボックス３０２で変更可能である。ここではA4 (210mm x 297mm) サイズを指定し、ページ方向として縦向きをページ方向ラジオボタン３０３で設定するものとする。
【００５２】
オペレータは画像プール３０４に表示された前記入力画像サムネール群３０６から、実際に利用する画像のサムネールをマウス等により選択し、画面右側の編集ペイン３０５にドラッグアンドドロップする等の操作により所望の画像がページ上に表示されるものである。
【００５３】
続いて、メニューに用意されたページ追加機能を用いてページを追加し、同様の操作を行うことにより、ここでは3ページよりなるドキュメントを作成するものとする。
【００５４】
現在表示中のページ番号、総ページ数はページ表示領域３０７にて確認可能である。またここに用意されたページめくりボタンを利用する事で編集対象のページを切り替える事が可能である。
【００５５】
さらにオペレータは編集ペイン３０５上にて、画像上に文字を入れたり、画像の色味を調整したり、トリミングを行うといった各種操作を必要に応じて行うことができる。本実施例においては発明の主旨とは関連がないため、詳しい説明は割愛する。
【００５６】
編集ペイン３０５上でのページ編集作業を終え、印刷可能な状態となったら、オペレータはメニューバー３０１上の“印刷”を選択することにより、印刷ダイアログを起動する。
【００５７】
印刷ダイアログを図１に示す。
【００５８】
図１において、
１０１は、プリンタコンボボックス、
１０２は、プロパティボタン、
１０３は、プレビュー領域、
１０４は、給紙方法コンボボックス、
１０５は、印刷部数、
１０６は、印刷ボタン、
１０７は、設定のみボタン、
１０８は、キャンセルボタン、
１０９は、排紙方向矢印、
１１２は、ページプレビュー、
１１３は、物理用紙領域
１１４は、ロール幅、
１１５は、スクロール領域、
である。
【００５９】
本印刷ダイアログは、選択されているプリンタドライバの設定項目のうち、良く使うと思われる項目を配置するもので、ユーザにとって理解が難しいプリンタドライバでの設定をしなくても通常の印刷作業を行えるようにしたものである。
【００６０】
図１において、プレビュー領域１０３には物理プレビューが表示されている状態となっており、ロール給紙のイメージを表すため、上部に排紙方向を表す矢印１０９を、下部にプリンタに装填されているロール紙幅１１４を示している。
【００６１】
また、用紙を表す白色の矩形(物理用紙領域１１３)をプレビュー領域下部に接するように描画することにより、ユーザにロール紙が給紙されているイメージをより強く喚起するようにしている。
【００６２】
ここでは、プリンタドライバ設定のオートカット機能がオフの状態を示しており、ドキュメントの各ページは実際のプリンタからの出力結果と同様に、つながった状態でプレビュー表示がなされている。
【００６３】
ここで、物理プレビューにおいて3ページ目下端が切れた状態で表示されるが、プレビュー領域１０３に用意されているスクロール領域１１５を操作する事により、3ページ目の全体も見る事が可能である。
【００６４】
図１における物理プレビュー描画に必要となる、各種プリンタ設定の取得手順を図８に示す。
【００６５】
ここで、プリンタには幅２４インチ(609.6mm)のロール紙が装填されており、また、ドライバ設定として、“等倍”印刷モード、および“オートカットOFF”設定がされているものとする。
【００６６】
“等倍”印刷モードとは、原稿サイズと同じサイズで印刷するというもので、本実施例ではA4サイズの出力が得られる設定である。
【００６７】
なお、他の印刷モードとして、任意サイズの原稿を幅がロール紙幅に一致するよう拡大/縮小する“ロール紙幅にフィット”モード、および任意の倍率を指定できる“倍率指定”モードが選択可能である。
【００６８】
“オートカット機能”とは、ドキュメント1ページの印刷後にプリンタ本体に装着されたカッターにより用紙をカットするかどうかを設定するものである。
【００６９】
オートカットがオンであればドキュメントの各ページは印字後分断され、オフであれば印刷後の各ページは物理的につながった状態となる。
【００７０】
なお、これらのドライバ設定は、印刷ダイアログ上のプロパティボタン１０２を押下することにより、ユーザは設定の確認、または変更を行うことができる。
【００７１】
プロパティボタンを押下することにより表示されるプリンタドライバのユーザインタフェースの一例を図７に示す。
【００７２】
図７において、
７０１は、原稿サイズコンボボックス、
７０２は、描画スケールモード、
７０３は、オートカットチェックボックス、
７０４は、OKボタン、
７０５は、キャンセルボタン、
である。
【００７３】
では図８を参照して、上記各種設定の取得ステップおよびプレビュー描画処理について説明する。
【００７４】
プリンタ設定取得ステップおよびプレビュー描画処理はユーザ操作により印刷ダイアログが起動されたのを契機に開始される。
【００７５】
初めにステップS801にて、プリンタ本体からロール幅情報を取得可能かを、インタフェースモジュール５０２を介して問い合わせる。
【００７６】
具体的には、まず出力対象として選択されているプリンタがインタフェースモジュール５０２の対応プリンタであるかどうかを判定し、さらにプリンタ本体でロール給紙口が使われているかどうかを判定するものである。
【００７７】
ここで、例えばプリンタ４０１にロール紙ではなく、カット紙が装填されている場合や、プリンタ４０１本体の異常等により情報が取得できない場合、ステップS802に進み、論理プレビューの描画を行い、処理を終了する。
【００７８】
論理プレビューの描画結果を図２に示す。
【００７９】
図２において、
２０１は、論理ページプレビュー、
である。
【００８０】
図２ではプレビュー領域は後述する物理プレビューとは違い、一般的なアプリケーションソフトウェアで実施されるプレビューと同様な態様(論理プレビュー)となっており、ここでは先頭ページが表示される。
【００８１】
すなわち、ロール紙幅は表示されず、またプリンタドライバ設定の内容も反映されていないため、実際のプリンタ出力が想像しがたい形式となっている。
【００８２】
図８の説明を続ける。本実施例ではステップS801にてロール幅情報は取得可能であるので、ステップS803に進み、ロール紙幅をインタフェースモジュール５０２を介して取得し、２４インチロールであるという結果を得る。
【００８３】
次にステップS804に進み、ドライバの拡大縮小モードを取得する。ここでは“等倍”モードであるため、描画倍率変数を1.0にセットする。
【００８４】
なお、以降のドライバ設定の取得処理はアプリケーションがプリンタドライバ６０２に直接問い合わせるか、プリンタドライバSDKモジュール６０１経由で取得するものである。
【００８５】
続いてステップS805にて、“オートカット”設定の設定状況を取得する。ここでは非設定状態(OFF)が得られる。
【００８６】
次にステップS806にて、描画対象ページをセットする。初期値は先頭ページであるので、１である。
【００８７】
続いてステップS807にて、ページプレビューの描画開始位置をセットする。ここでは初期値の左上隅がセットされる。
【００８８】
ステップS808にて、これまでに得られたプリンタ設定の状態を反映したページプレビューを描画開始点より描画する。
【００８９】
次にステップS809に進み、オートカット設定がOFFであり、かつ描画対象のページが最終ページであるかどうかを判定する。ここでは上記条件は共に成り立つため、ステップS806に戻り、次のページの描画処理に移る。
【００９０】
ステップS806にて、描画対象ページをインクリメントし、２をセットする。
【００９１】
続いてステップS807にて描画開始位置をセットする。描画対象は2ページ目であるので、Y方向の座標のみページ高さである297mmに相当する画面単位だけ移動する。
【００９２】
次にステップS808にて、2ページ目のページプレビューを描画する。
【００９３】
以下同様に3ページ目のプレビューを描画し、ページプレビューの処理を終了する。
【００９４】
ページプレビューの他にユーザビリティを考慮した、ページ上部に排紙方向を表すための矢印１０９を、物理用紙１１３の下部にはプリンタに実際に装填されているロール紙幅長さを表す文字列１１４(“２４インチロール”)を描画する。
【００９５】
以上、説明したステップにより描画された物理プレビューをオペレータが目視で確認することにより、オペレータが意図した印刷が行われるかを容易に確認することが可能となる。
【００９６】
最後に印刷ダイアログ上で印刷ボタン１０６を押下することで、実際に印刷データのページレンダリングが開始され、印刷データがプリンタ４０１に送られる。
【００９７】
なお、プレビュー描画契機はここに述べただけではなく、出力先プリンタ１０１が変更されたとき、給紙方法１０４が変更されたとき、などアプリケーション仕様に従い任意に設定可能である。
【００９８】
また同様に、取得するプリンタドライバ設定も、N in 1印刷の設定、鏡像印刷、センタリング印刷、ページの回転設定等に代表されるその他の設定も取得するものであり、物理プレビューの描画態様はこれらの設定結果の組み合わされたものとなる。
【図面の簡単な説明】
【００９９】
【図１】実施例１における印刷ダイアログ(物理プレビュー)。
【図２】実施例１における印刷ダイアログ(論理プレビュー)。
【図３】実施例１における画像印刷アプリケーションメイン画面。
【図４】実施例１におけるシステム構成図。
【図５】実施例１におけるアプリケーション構成図。
【図６】実施例１におけるアプリケーション構成図。
【図７】実施例１におけるプリンタドライバユーザインタフェース。
【図８】実施例１におけるプリンタ設定取得ステップ。
【符号の説明】
【０１００】
１０１  プリンタコンボボックス
１０２  プロパティボタン
１０３  プレビュー領域
１０４  給紙方法コンボボックス
１０５  印刷部数
１０６  印刷ボタン
１０７  設定のみボタン
１０８  キャンセルボタン
１０９  排紙方向矢印
１１０  ページプレビュー
１１１  物理用紙領域
１１２  ロール幅
１１３  スクロール領域
２０１  論理ページプレビュー
３０１  メニューバー
３０２  ページサイズコンボボックス
３０３  ページ方向ラジオボタン
３０４  画像プール
３０５  編集ペイン
３０６  入力画像サムネール
３０７  ページ表示領域
４０１  プリンタ
４０２  ホストコンピュータ
４０３  ローカルエリアネットワーク(LAN)
５０１  画像印刷アプリケーション
５０２  インターフェイスモジュール
５０３  ロール幅センサ
５０４  メモリ
５０５  インターフェイス制御装置
６０１  プリンタドライバソフトウエア開発キット(SDK)
６０２  プリンタドライバ
７０１  原稿サイズコンボボックス
７０２  描画スケールモード
７０３  オートカットチェックボックス
７０４  OKボタン
７０５  キャンセルボタン
【図１】
2009116735.tif 000003
【図２】
2009116735.tif 000004
【図３】
2009116735.tif 000005
【図４】
2009116735.tif 000006
【図５】
2009116735.tif 000007
【図６】
2009116735.tif 000008
【図７】
2009116735.tif 000009
【図８】
2009116735.tif 000010